(57)【要約】  紙媒体に印刷されていない状態での文書の管理者が特定され得るように、当該文書を管理し得るシステム等を提供する。  本発明の文書管理システムによれば、第１処理部１１０がユーザまたはその所属先を識別するための識別子を認識する。また、第２処理部１２０がユーザによる指定文書を認識する。そして、画像処理部１３０が第１処理部１１０により認識された識別子と、第２処理部１２０により認識された指定文書との配置を調節しながら識別子および指定文書が含まれている画像を準備し、この画像を情報処理端末２００に表示させる。これにより、情報処理端末２００に表示されている文書が写真撮影された場合、この識別子も写真撮影され、その写真が不正コピーされて配布等された場合、その文書漏洩元が当該識別子に基づいて特定されうる。【特許請求の範囲】
【請求項１】
情報処理端末に表示される文書を管理するシステムであって、
ユーザによる指定文書を認識する第１処理部と、
ユーザまたはその所属先を識別するための識別子を認識する第２処理部と、
第１処理部により認識された指定文書と、第２処理部により認識された識別氏との配置を調節しながら該指定文書および識別子が含まれている画像を準備し、該画像を情報処理端末に表示させる画像処理部とを備えていることを特徴とする文書管理システム。
【請求項２】
画像処理部が、第１処理部により認識された文書が含まれている第１画像を準備する第１画像処理部と、
第２処理部により認識された識別子が含まれている第２画像を準備する第２画像処理部と、
第１画像処理部により準備された第１画像と、第２画像処理部により準備された第２画像とを合成する画像合成部と、
画像合成部よる合成画像を情報処理端末に表示させる画像出力部とを備えていることを特徴とする請求項１記載の文書管理システム。
【請求項３】
画像処理部が、第１処理部により認識された文書および第２処理部により認識された識別子の重なりがない画像を準備することを特徴とする請求項１記載の文書管理システム。
【請求項４】
画像処理部が、第１処理部により認識された文書と第２処理部により識別された指定文書とが部分的に重なった画像を準備することを特徴とする請求項１記載の文書管理システム。
【請求項５】
画像処理部が、文書および識別子の相対的配置が動的に変化する画像を準備することを特徴とする請求項１記載の文書管理システム。
【請求項６】
画像処理部が、第１処理部により認識された文書またはこれに含まれる文字のデザインと、第２処理部により認識された識別子またはこれに含まれる文字のデザインとが異なる画像を準備することを特徴とする請求項１記載の文書管理システム。
【請求項７】
画像処理部が、第１処理部により認識された文書および第２処理部により認識された識別子の重なり度を評価し、重なり度に基づいて該文書またはこれに含まれる文字のデザインと、該識別子またはこれに含まれる文字のデザインとが異なる画像を準備することを特徴とする請求項１記載の文書管理システム。
【請求項８】
画像処理部が、評価した重なり度が高いほど識別子の明度が文書の明度より高い画像を準備することを特徴とする請求項７記載の文書管理システム。
【請求項９】
画像処理部が、画像において文書を包含する第１エリアと識別子を包含する第２エリアとの重なり面積を文書および識別子の重なり度として評価することを特徴とする請求項７記載の文書管理システム。
【請求項１０】
画像処理部が、画像を構成する画素群のうち文書が占める第１画素群と、識別子が占める第２画素群との重なり画素数を、該指定文書および識別子の重なり度として評価することを特徴とする請求項７記載の文書管理システム。
【請求項１１】
画像処理部が第１処理部により認識された文書の重要度を認識し、該重要度に応じて該文書またはこれに含まれる文字のデザイン、または第２処理部により認識された識別子またはこれに含まれる文字のデザインを調節して画像を準備することを特徴とする請求項１記載の文書管理システム。
【請求項１２】
ユーザを認証する認証処理部をさらに備え、認証処理部によりユーザが認証された場合のみ第１処理部が当該ユーザによる指定文書を認識することを特徴とする請求項１記載の文書管理システム。
【請求項１３】
第２処理部が、認証処理部によるユーザの認証に用いられた認証子に対応する識別子をデータベースから検索かつ認識することを特徴とする請求項１２記載の文書管理システム。
【請求項１４】
画像処理部が、第１処理部により認識された文書が含まれる、情報処理端末に接続された印刷機器による印刷物に、第２処理部により認識された識別子を含ませることを特徴とする請求項１記載の文書管理システム。
【請求項１５】
前記情報処理端末とネットワークを介して通信可能なサーバコンピュータにより構成されていることを特徴とする請求項１記載の文書管理システム。
【請求項１６】
前記情報処理端末が有するコンピュータにより構成されていることを特徴とする請求項１記載の文書管理システム。
【請求項１７】
情報処理端末に表示される文書を管理する機能をコンピュータに付与するプログラムであって、
ユーザによる指定文書を認識する第１処理機能と、
ユーザまたはその所属先を識別するための識別子を認識する第２処理機能と、第１処理機能により認識された指定文書と、第２処理機能により認識された識別氏との配置を調節しながら該指定文書および識別子が含まれている画像を準備し、該画像を情報処理端末に表示させる画像処理機能とをコンピュータに付与することを特徴とする文書管理プログラム。
【請求項１８】
請求項１記載の文書管理システムを構成するために請求項１７記載の文書管理プログラムのうち一部または全部をコンピュータにダウンロードすることを特徴とする方法。
【請求項１９】
請求項１８記載の方法を実行することを特徴とするサーバコンピュータ。
【発明の詳細な説明】
【技術分野】
【０００１】
本発明は、情報処理端末に表示される文書を管理するシステム、当該管理機能をコンピュータに付与するプログラム、当該システムを構成する方法、および当該方法を実行するサーバコンピュータ（以下、適宜「サーバ」という。）に関する。
【背景技術】
【０００２】
従来、文書の不正コピーおよび配布を防止するため、その文書の管理者を特定し得るように、文書データとともに印影データを紙に印刷する技術が提案されている（たとえば特開２００１−３４４５５７号公報参照）。
【発明の開示】
【発明が解決しようとする課題】
【０００３】
しかし、文書がパソコン等の情報処理端末に画像表示されている状態等、文書が紙媒体に印刷されていない状態で、その文書がカメラにより撮影されて不正コピー等された場合、撮影文書には印影データが現れないので、文書の漏洩元を特定することはできない。【０００４】
そこで、本発明は、紙媒体に印刷されていない状態での文書の管理者が特定され得るように、当該文書を管理し得るシステムおよびプログラムを提供することを解決課題とする。
【課題を解決するための手段】
【０００５】
前記課題を解決するための本発明の文書管理システムは、ユーザによる指定文書を認識する第１処理部と、ユーザまたはその所属先を識別するための識別子を認識する第２処理部と、第１処理部により認識された指定文書と、第２処理部により認識された識別氏との配置を調節しながら該指定文書および識別子が含まれている画像を準備し、該画像を情報処理端末に表示させる画像処理部とを備えていることを特徴とする。【０００６】
本発明の文書管理システムによれば、ユーザにより指定された文書に加え、ユーザまたはその所属先を識別するための識別子が含まれた画像が情報処理端末に表示される。情報処理端末に表示されている文書が写真撮影された場合、この識別子も写真撮影されることになる。したがって、その写真が不正にコピーされて配布等されても、その文書の漏洩元を識別子に基づいて特定することができる。すなわち、識別子が個人または組織を特定するためのスタンプとして文書とともに表示されることで、このような不正コピーをしようとする心理が抑制されうる。さらに、文書および識別子の配置が調節されるので、両者の識別難易度等に応じて文書および識別子が適当に配置された画像が情報処理端末に表示されうる。【０００７】
なお、画像を準備するとは、外部機器から入力された、あるいはデータベースやメモリ等から検索された基礎情報を処理にすることによって画像を作成することのほか、データベースから画像を検索すること、メモリ等の記録媒体から画像を読み取ることを含む概念である。【０００８】
また、本発明の文書管理システムは、画像処理部が、第１処理部により認識された文書が含まれている第１画像を準備する第１画像処理部と、第２処理部により認識された識別子が含まれている第２画像を準備する第２画像処理部と、第１画像処理部により準備された第１画像と、第２画像処理部により準備された第２画像とを合成する画像合成部と、画像合成部よる合成画像を情報処理端末に表示させる画像出力部とを備えていることを特徴とする。【０００９】
本発明の文書管理システムによれば、ユーザによる指定文書が含まれている「第１画像」とユーザ等を識別するための識別子が含まれている「第２画像」とが、前記のように当該識別子および指定文書の配置が調節されながら合成される。そして、この合成画像が情報処理端末に表示される。これにより、前記のように情報処理端末に表示されている文書が写真撮影された場合、この識別子も写真撮影されることになる。したがって、その写真が不正にコピーされて流布されても、その文書の漏洩元を識別子に基づいて特定することができる。すなわち、識別子が個人または組織を特定するためのスタンプとして文書とともに表示されることで、このような不正コピーをしようとする心理が抑制されうる。【００１０】
さらに、本発明の文書管理システムは、画像処理部が、第１処理部により認識された文書および第２処理部により認識された識別子の重なりがない画像を準備することを特徴とする。【００１１】
本発明の文書管理システムによれば、情報処理端末に表示される画像における文書および識別子の重なりが回避されるので、ユーザにとっての文書および識別子の識別をさらに容易にすることができる。【００１２】
また、本発明の文書管理システムは、画像処理部が、第１処理部により認識された文書と第２処理部により認識された識別子とが部分的に重なった画像を準備することを特徴とする。【００１３】
本発明によれば、情報処理端末に表示された文書の写真やそのコピーにおいて、文書および識別子が部分的に重ね合わせられている。これにより、文書の写真やそのコピー等からの識別子の削除または消去を困難なものとし、識別子が削除された文書のコピー等が流布して文書漏洩元が特定されえなくなるような事態を回避することができる。【００１４】
さらに、本発明の文書管理システムは、画像処理部が、文書および識別子の相対的配置が動的に変化する画像を準備することを特徴とする。【００１５】
本発明の文書管理システムによれば、情報処理端末に表示されている画像において文書に付随する識別子にユーザの注意を向けさせることができる。そして、この画像を撮影した場合に文書のみならず識別子までもが写り、撮影した写真等を不正使用した場合に身元が判明してしまうことをユーザに明確に意識させることができる。これによって文書を撮影、コピーして不正に使用しようとする心理が抑制されうる。【００１６】
また、本発明の文書管理システムは、画像処理部が、第１処理部により認識された文書またはこれに含まれる文字のデザインと、第２処理部により認識された識別子またはこれに含まれる文字のデザインとが異なる画像を準備することを特徴とする。【００１７】
本発明の文書管理システムによれば、情報処理端末に表示される画像において文書またはこれに含まれる文字のデザインと、識別子またはこれに含まれる文字のデザインが差別化される。ここで「デザイン」は、形状、模様、色彩およびこれらの任意の組み合わせを意味し、かつ、静的なもののみならず動的なものも含む概念である。「色彩」は「色相」「彩度」および「明度」により表される。これにより、情報処理端末に表示された画像においてユーザにとって文書および識別子の識別を容易にすることができる。【００１８】
さらに、本発明の文書管理システムは、画像処理部が、第１処理部により認識された文書および第２処理部により認識された識別子の重なり度を評価し、重なり度に基づいて該文書またはこれに含まれる文字のデザインと、該識別子またはこれに含まれる文字のデザインとが異なる画像を準備することを特徴とする。【００１９】
本発明の文書管理システムによれば、情報処理端末に表示される画像における文書および識別子のそれぞれのデザインが文書および識別子の「重なり度」に応じて調節される。これにより、文書および識別子の重なり度が大きいほど両者が識別しにくくなる傾向に鑑みて、文書および識別子のデザインが適当に差別化された画像が表示され、ユーザにとっての文書および識別子の識別を容易にすることができる。【００２０】
また、本発明の文書管理システムは、画像処理部が、評価した重なり度が高いほど識別子の明度が指定文書の明度より高い画像を準備することを特徴とする。【００２１】
本発明の文書管理システムによれば、文書および識別子の重なり度が大きいほど両者が識別しにくくなる傾向に鑑みて、識別子の明度および文書の明度が差別化されることで、情報処理端末に表示された画像における、ユーザにとっての文書および識別子の識別を容易にすることができる。【００２２】
さらに、本発明の文書管理システムは、画像処理部が、画像において文書を包含する第１エリアと識別子を包含する第２エリアとの重なり面積を文書および識別子の重なり度として評価することを特徴とする。【００２３】
本発明の文書管理システムによれば、情報処理端末に表示されている画像において文書を包含する第１エリアと、識別子を包含する第２エリアとの重なり面積が重なり度として評価される。【００２４】
また、本発明の文書管理システムは、画像処理部が、画像を構成する画素群のうち文書が占める第１画素群と、識別子が占める第２画素群との重なり画素数を、該識別子および指定文書の重なり度として評価することを特徴とする。【００２５】
本発明の文書管理システムによれば、情報処理端末に表示されている画像を構成する画素群のうち、文書が占める第１画素群および識別子が占める第２画素群の重なり画素数が重なり度として評価される。【００２６】
さらに、本発明の文書管理システムは、画像処理部が第１処理部により認識された文書の重要度を認識し、該重要度に応じて該文書またはこれに含まれる文字のデザイン、または第２処理部により認識された識別子またはこれに含まれる文字のデザインを調節して画像を準備することを特徴とする。【００２７】
本発明の文書管理システムによれば、情報処理端末に表示される画像に含まれる文書等のデザインの相違を通じて、当該文書の機密保持等に鑑みた重要度をユーザに認識させることができる。【００２８】
また、本発明の文書管理システムは、ユーザを認証する認証処理部をさらに備え、認証処理部によりユーザが認証された場合のみ第１処理部が当該ユーザによる指定文書を認識することを特徴とする。【００２９】
本発明の文書管理システムによれば、ユーザが認証された場合のみ情報処理端末に文書が含まれる画像が表示されうるので、文書の機密性が確保される。【００３０】
さらに、本発明の文書管理システムは、第２処理部が認証処理部によるユーザの認証に用いられた認証子に対応する識別子をデータベースから検索かつ認識することを特徴とする。【００３１】
本発明の文書管理システムによれば、ユーザ認証用の認証子に対応する識別子と文書とが含まれる画像が情報処理端末に表示される。【００３２】
また、本発明の文書管理システムは、画像処理部が、第１処理部により認識された文書が含まれる、情報処理端末に接続された印刷機器による印刷物に、第２処理部により認識された識別子を含ませることを特徴とする。【００３３】
本発明の文書管理システムによれば、従来の文書管理システムと同様に、印刷機器による印刷物に含まれる文書の漏洩元を、当該印刷物に含まれる識別子に基づいて特定することができる。【００３４】
また、本発明の文書管理システムは、前記情報処理端末とネットワークを介して通信可能なサーバコンピュータにより構成されていることを特徴とする。【００３５】
本発明の文書管理システムによれば、多数の情報処理端末に表示される画像に含まれる文書の機密性が、ネットワーク通信を利用して一括して管理されうる。【００３６】
さらに、本発明の文書管理システムは、前記情報処理端末が有するコンピュータにより構成されていることを特徴とする。【００３７】
本発明の文書管理システムによれば、情報処理端末に表示される画像に含まれる文書の機密性が、情報処理端末ごとに個別に管理されうる。【００３８】
前記課題を解決するための本発明の文書管理プログラムは、ユーザによる指定文書を認識する第１処理機能と、ユーザまたはその所属先を識別するための識別子を認識する第２処理機能と、第１処理機能により認識された指定文書と、第２処理機能により認識された識別氏との配置を調節しながら該指定文書および識別子が含まれている画像を準備し、該画像を情報処理端末に表示させる画像処理機能とをコンピュータに付与することを特徴とする。【００３９】
本発明の文書管理プログラムによれば、情報処理端末に表示されている文書が写真撮影された場合、この識別子も写真撮影され、その写真が不正コピーされて配布等された場合、その漏洩元を識別子に基づいて特定することができるように、文書を管理する機能をコンピュータに付与することができる。【００４０】
前記課題を解決するための本発明の文書管理システムの構成方法は、前記文書管理システムを構成するために前記文書管理プログラムのうち一部または全部をコンピュータにダウンロードすることを特徴とする。【００４１】
本発明の方法によれば、ユーザまたは情報処理端末からリクエストがあったとき等の任意のタイミングで文書管理システムとしての機能がコンピュータに付与されうる。【００４２】
前記課題を解決するための本発明のサーバは、前記方法を実行することを特徴とする。【００４３】
本発明のサーバによれば、任意のタイミングで文書管理プログラムのうち一部または全部がコンピュータにダウンロードされうる。
【発明を実施するための最良の形態】
【００４４】
本発明の文書管理システム、文書管理プログラム、当該システムの構成方法、およびサーバの実施形態について図面を用いて説明する。【００４５】
図１に示されている文書管理システム１００は、ハードウェアとしてのサーバ（ＣＰＵ，ＲＯＭ，ＲＡＭ，Ｉ／Ｏ等により構成されている。）と、ＲＯＭ（メモリ）に格納され、サーバ（またはそのＣＰＵ）に諸機能を付与するソフトウェアとしての本発明の「文書管理プログラム」とにより構成されている。文書管理プログラムは最初からサーバのメモリに格納されていてもよいが、その一部または全部がサーバからのリクエストがあったとき等、任意のタイミングで他のサーバからダウンロードされてもよい。サーバは情報処理端末２００と、ネットワークを介した通信機能を有している。【００４６】
文書管理システム１００は、認証処理部１０２と、第１処理部１１０と、第２処理部１２０と、画像処理部１３０とを備えている。【００４７】
認証処理部１０２は、情報処理端末２００との通信によってこの情報処理端末２００に入力された認証子（パスワード、ユーザＩＤまたはこれらの組み合わせ）を認識し、この認証子に基づいてユーザを認証する。【００４８】
第１処理部１１０はユーザによって指定される文書を認識する。【００４９】
第２処理部１２０は情報処理端末２００のユーザまたはその所属先を識別するための識別番号、識別記号等の識別子を認識する。【００５０】
画像処理部１３０は、第１画像処理部１３１と、第２画像処理部１３２と、画像合成部１３３と、画像出力部１３４とを備えている。【００５１】
第１画像処理部１３１は第１処理部１１０により認識された文書が含まれている「第１画像」を準備する。第２画像処理部１３２第２処理部１２０により認識された識別子が含まれている第２画像を準備する。画像合成部１３３は第１画像処理部１３１により準備された第１画像と、第２画像処理部１３２により準備された第２画像とを合成する。画像出力部１３４は画像合成部１３３による合成画像を情報処理端末１２０に配信しかつ表示させる。【００５２】
情報処理端末２００は、ディスプレイへの画像表示機能を有するパソコン、携帯電話機、ＰＤＡ等である。情報処理端末２００のうち一部または全部はプリンタ（印刷機器）２０２に接続されている。【００５３】
前記構成の文書管理システム１００の機能について図２〜図４を用いて説明する。【００５４】
まず、情報処理端末２００に文書を閲覧する際の初期画面が表示され、この初期画面にしたがって、ユーザにより情報処理端末２００にパスワードやＩＤ等の「認証子」が入力される（図２／Ｓ２０２）。【００５５】
認証子は情報処理端末２００からサーバに送信され（図２／矢印Ａ１）、これに応じて認証処理部１０２が文書閲覧のためのユーザの「認証処理」を実行する（図２／Ｓ１０２）。具体的には、認証処理部１０２はこの認証子が所定のデータベースまたはメモリ等の記憶装置に登録または保存されているか否かに応じて、当該ユーザを認証する。【００５６】
また、第１処理部１１０は認証処理部１０２によりユーザが認証されたことを要件として「第１処理」を実行する（図２／Ｓ１１０）。具体的には、第１処理部１１０は情報処理端末２００から送信された文書指定（ＵＲＬ指定等、ネットワークにおける文書の置き場所の指定）（図２／矢印Ａ１参照）に対応する文書をデータベースまたは他のサーバから検索して認識する。情報等を「認識する」とは、当該情報等をＲＡＭ等のメモリに保存させる等、後の処理の実行のために当該情報等を準備するあらゆる処理をも包含する概念である。【００５７】
さらに、第２処理部１２０は第１処理と同様に認証処理部１０２によりユーザが認証されたことを要件として「第２処理」を実行する（図２／Ｓ１２０）。具体的には、第２処理部１２０は情報処理端末２００から送信された認証子（図２／矢印Ａ１参照）に対応する識別番号等の識別子をデータベースから検索して認識する。【００５８】
続いて、画像処理部１３０は「画像処理」を実行する（図２／Ｓ１３０）。
具体的には、第１画像処理部１３１が、第１処理部１１０により認識されたユーザの指定文書が含まれている第１画像を準備する「第１画像処理」を実行する（図２／Ｓ１３１）。これにより、図３（ａ）に示されているように文書ｐ１が含まれている第１画像が準備される。【００５９】
また、第２画像処理部１３２はユーザまたはその所属先を識別するための識別子が含まれている第２画像を準備する「第２画像処理」を実行する（図２／Ｓ１３２）。これにより図３（ｂ）に示されているように「Ｊ０１２８６９」等の識別子ｐ２が含まれている第２画像が準備される。【００６０】
さらに、画像合成部１３３は第１画像処理部１３１により準備された第１画像および第２画像処理部１３２により準備された第２画像を重ね合わせて合成する（図２／Ｓ１３３）。画像合成部１３３は、第１画像に含まれる個々の文書ｐ１と、第２画像に含まれる個々の識別子ｐ２との重なりが最小となるように、両者の配置を調節しながら第１画像および第２画像を重ね合わせる。これにより、図４に示されているように文書ｐ１および識別子ｐ２の重なりがない合成画像が準備される。【００６１】
そして、画像出力部１３４が画像合成部１３３による合成画像を、サーバから情報処理端末２００に送信させる（図２／Ｓ１３４，矢印Ａ２）。これに応じて、情報処理端末２００には、図４に示されているように文書ｐ１および識別子ｐ２は重ならないように配置された画像が表示される（図２／Ｓ２０４）。【００６２】
また、合成画像において文書ｐ１に含まれる文字のデザインと、識別子ｐ２に含まれる文字のデザイン（形状、模様、色彩、またはこれらの任意の組み合わせを意味する。静的なデザインのみならず動的なデザインも含まれる。）が異なるように調節されている。たとえば、文書ｐ１に含まれる文字が、識別子ｐ２に含まれる文字よりもサイズが大きくなるように調節される。また、文書ｐ１に含まれる文字が、識別子ｐ２に含まれる文字よりも濃く（明度が低く）調節される。さらに、文書ｐ１に含まれる文字が黒色に調節される一方、識別子ｐ２に含まれる文字が青色に調節される。【００６３】
この状態で情報処理端末２００がユーザの印刷操作に応じて「印刷処理」を実行し（図２／Ｓ２０６）、プリンタ２０２に情報処理端末２００の表示画面を印刷させた場合（図２／Ｓ２０８）、図４に示されている画像がそのまま紙媒体に印刷されるように、画像処理部１３０がこの画像を情報処理端末２００に表示させる。【００６４】
前記機能を発揮する文書管理システム１００によれば、ユーザにより指定された文書ｐ１に加え、ユーザまたはその所属先を識別するための識別子ｐ２が含まれた画像が情報処理端末２００に表示される（図４参照）。情報処理端末２００に表示されている文書ｐ１が写真撮影された場合、この識別子ｐ２も写真撮影されることになる。したがって、その写真が不正にコピーされて配布等されても、その文書ｐ１漏洩元を識別子に基づいて特定することができる。すなわち、識別子ｐ２が個人または組織を特定するためのスタンプとして文書とともに表示されることで、このような不正コピーをしようとする心理が抑制されうる。【００６５】
また、情報処理端末２００に表示される画像において文書ｐ１および識別子ｐ２の重なり合いが回避されるので（図４参照）、ユーザにとっての文書ｐ１および識別子ｐ２の識別を容易にすることができる。【００６６】
さらに、文書ｐ１に含まれている文字のデザインと、識別子ｐ２に含まれている文字のデザインとが異なる画像が情報処理端末２００に表示される（図４参照）。これにより、情報処理端末２００に表示される画像における、ユーザにとっての文書ｐ１および識別子ｐ２の識別を容易にすることができる。【００６７】
また、画像処理部１３０は、第２処理部１２０により認識された識別子ｐ２が含まれる、情報処理端末２００に接続されたプリンタ２０２による印刷物に、第１処理部１１０により認識された文書ｐ１を含ませる。このため、プリンタ２０２による印刷物に含まれる文書ｐ１の漏洩元を、当該印刷物に含まれる識別子ｐ２に基づいて特定することができる。【００６８】
さらに、ユーザが適正な認証子に基づいて認証された場合にのみ、この情報処理端末２００を通じて文書ｐ１が閲覧可能となるので（図２／Ｓ２０２，Ｓ２０４参照）、文書ｐ１の機密保持性を維持することができる。【００６９】
なお、前記実施形態では文書管理システム１００がサーバにより構成されていたが、他の実施形態として文書管理システム１００がサーバに加えてまたは代えて一または複数の情報処理端末２００により構成されていてもよい。【００７０】
前記実施形態では第１画像および第２画像が準備され、第１および第２画像が重ね合わせられることで文書ｐ１および識別子ｐ２が含まれる画像が準備されたが（図３（ａ）、図３（ｂ）、図４）、他の実施形態として第１画像および第２画像が準備されることなく文書ｐ１および識別子ｐ２が含まれる画像が準備（作成）されてもよい。【００７１】
前記実施形態では図４に示されているように文書ｐ１および識別子ｐ２が重ならないように画像が合成されたが、他の実施形態として図５に示されているように文書ｐ１および識別子ｐ２が部分的に重なった画像が合成されてもよい。【００７２】
当該他の実施形態の文書管理システム１００によれば、情報処理端末２００に表示された文書ｐ１の写真やそのコピーにおいて、文書ｐ１および識別子ｐ２が部分的に重ね合わせられる。これにより、文書ｐ１の写真やそのコピー等からの識別子ｐ２の削除または消去を困難なものとし、識別子ｐ２が削除された文書ｐ１のコピー等が流布して文書漏洩元が特定されえなくなるような事態を回避することができる。【００７３】
また、画像処理部１３０が、文書ｐ１および識別子ｐ２の相対的配置が動的に変化する画像を準備してもよい。【００７４】
当該実施形態の文書管理システム１００によれば、情報処理端末２００に表示されている画像において文書ｐ１に付随する識別子ｐ２にユーザの注意を向けさせることができる（図４参照）。そして、この画像を撮影した場合に文書ｐ１のみならず識別子ｐ２までもが写真に写り、撮影した写真等を不正使用した場合に身元が判明してしまうことをユーザに明確に意識させることができる。これによって文書ｐ１を撮影、コピーして不正に使用しようとする心理が抑制されうる。【００７５】
さらに、画像処理部１３０が、第１処理部１１０により認識された文書および第２処理部１２０により認識された識別子の重なり度を評価し、この重なり度に基づいて識別子および指定文書のそれぞれのデザインが異なる画像を準備してもよい。【００７６】
当該実施形態の文書管理システムによれば、情報処理端末２００に表示される画像における文書ｐ１に含まれる文字のデザインと、識別子ｐ２に含まれる文字のデザインが文書ｐ１および識別子ｐ２の「重なり度」に応じて調節される。たとえば、重なり度が高いほど識別子ｐ２の明度が文書ｐ１の明度より高く調節される。これにより、当該重なり度が大きいほど両者が識別しにくくなる傾向に鑑みて、文書ｐ１および識別子ｐ２のデザインが適当に差別化された画像が情報処理端末２００に表示される。そして、譲歩処理端末２００に表示される画像における、ユーザにとっての文書ｐ１および識別子ｐ２の識別を容易にすることができる。【００７７】
重なり度は、第１画像に含まれる個々の文書ｐ１を包含する第１エリアと、第２画像に含まれる個々の識別子ｐ２を包含する第２エリアとの重なり面積の総和をもって評価される。たとえば、画像全体にわたり図６（ａ）に示されているように第１エリアｓ１および第２エリアｓ２の重なりがない場合、重なり度は「０」と評価される。また、図６（ｂ）および図６（ｃ）に示されているように第１エリアｓ１および第２エリアｓ２が重なっている場合、この重なり部分（斜線部分）の面積の大小に応じて重なり度が評価される。図６（ｃ）における第１エリアｓ１および第２エリアｓ２の重なり面積が、図６（ｂ）における第１エリアｓ１および第２エリアｓ２の重なり面積より大きいとすると、図６（ｃ）における重なり度は、図６（ｂ）における重なり度よりも高く評価される。【００７８】
また、画像処理部１３０が、画像を構成する画素群のうち文書ｐ１が占める第１画素群と、識別子ｐ２が占める第２画素群との重なり画素数を両者の重なり度として評価してもよい。【００７９】
さらに、画像処理部１３０が第１処理部１１０により認識された文書の重要度をデータベースの検索等によって認識し、この重要度に応じて文書ｐ１または識別子ｐ２のデザインを調節してもよい。【００８０】
当該実施形態の文書管理システムによれば、情報処理端末２００に表示される画像に含まれる文書ｐ１のデザイン、または識別子ｐ２のデザインを通じて、当該文書ｐ１の機密保持等に鑑みた重要度をユーザに認識させることができる。
【図面の簡単な説明】
【００８１】
【図１】本発明の文書管理システムの構成例示図
【図２】本発明の文書管理システムの機能説明図
【図３】第１画像および第２画像の例示図
【図４】第１画像および第２画像の合成画像の例示図
【図５】第１画像および第２画像の合成画像の他の例示図
【図６】文書および識別子の重なり度の説明図
【図１】
2006109447.tif 000002
【図２】
2006109447.tif 000003
【図３】
2006109447.tif 000004
【図４】
2006109447.tif 000005
【図５】
2006109447.tif 000006
【図６】
2006109447.tif 000007
【国際調査報告】
2006109447.tif 000008
2006109447.tif 000009